(57)【要約】【課題】従来は、ビーコン信号を受信する受信装置の消費電力を十分に抑えることができなかった。【解決手段】受信装置３は、受信部３１と制御部３３とを備える。受信部３１は、ビーコン装置１から送信されるビーコン信号を、ビーコン信号の受信間隔に対するビーコン信号の受信期間によって規定されるデューティーサイクルで受信する。制御部３３は、受信部３１又は受信部３１の周囲の状態が変化したことを示す検知信号に基づき、受信部３１に対してデューティーサイクルを変更する制御を行う。【選択図】図２
2015220470.tif 000002
【特許請求の範囲】
【請求項１】
送信装置から送信される信号を、前記信号の受信間隔に対する前記信号の受信期間によって規定されるデューティーサイクルで受信する受信部と、
前記受信部又は前記受信部の周囲の状態が変化したことを示す検知信号に基づき、前記受信部に対して前記デューティーサイクルを変更する制御を行う制御部と、
を備える受信装置。
【請求項２】
前記制御部は、前記デューティーサイクルを高く変更した後、所定時間を経過すると前記受信部に対して前記デューティーサイクルを低く変更する制御を行う
請求項１に記載の受信装置。
【請求項３】
前記信号は、Ｂｌｕｅｔｏｏｔｈ（登録商標）規格によって規定されるアドバタイズ信号である、
請求項２に記載の受信装置。
【請求項４】
さらに、前記受信部又は前記受信部の周囲の状態が変化したことを検知して前記検知信号を前記制御部に出力する検知部を備え、
前記検知部は、前記受信部に近接して設けられる
請求項２又は３に記載の受信装置。
【請求項５】
前記検知信号は、前記送信装置又は前記送信装置を携帯するユーザが、前記受信部から所定の距離の範囲内に存在することを示す、
請求項１〜４のいずれか１項に記載の受信装置。
【請求項６】
前記デューティーサイクルの変更は、前記受信部がＢｌｕｅｔｏｏｔｈ（登録商標）規格によって規定される前記信号の受信期間を変更することによって行われる、
請求項１〜５のいずれか１項に記載の受信装置。
【請求項７】
前記デューティーサイクルの変更は、前記受信部がＢｌｕｅｔｏｏｔｈ（登録商標）規格によって規定される前記信号の受信間隔を変更することによって行われる、
請求項１〜５のいずれか１項に記載の受信装置。
【請求項８】
送信装置から送信される信号を、前記信号の受信間隔に対する前記信号の受信期間によって規定されるデューティーサイクルで、受信部が受信する手順と、
前記受信部又は前記受信部の周囲の状態が変化したことを示す検知信号に基づき、前記受信部に対して前記デューティーサイクルを変更する制御を行う手順と、
をコンピュータに実行させるためのプログラム。
【発明の詳細な説明】
【技術分野】
【０００１】
本発明は、例えば、Ｂｌｕｅｔｏｏｔｈ（登録商標） ＬＥ（Low Energy）規格（以下、「ＢＬＥ規格」と略記する。）によって規定される信号を受信する受信装置及びプログラムに関する。
【背景技術】
【０００２】
近年、スーパーマーケット、コンビニエンスストア、百貨店、専門店等に、例えば、ＢＬＥ規格に対応したビーコン装置を配置し、ユーザが持つ受信装置に商品情報やクーポン等の情報（以下、「サービス情報」と呼ぶ。）を送信するサービスが始まっている。
【０００３】
ＢＬＥ規格とは、近距離無線通信技術の一つである。このＢＬＥ規格には、１つのセントラルに対して複数のペリフェラルが接続されたスター型のネットワークトポロジーを構成することが規定されている。また、ＢＬＥ規格で規定される周波数帯は、２．４ＧＨｚ帯である。そして、ＢＬＥ規格では、この周波数帯を４０チャンネルに分割して、干渉や混信するチャンネルを避けるようにした適応周波数ホッピングという仕組みを用いることが規定されている。
【０００４】
ペリフェラルには、上述したビーコン装置が該当し、セントラルには、上述した受信装置が該当する。そして、ペリフェラル（ビーコン装置）は、ＢＬＥ規格によって規定され、所定の送信間隔とされるアドバタイジングインターバルで、ＢＬＥ規格によって規定されるアドバタイズ信号を、ビーコン信号として送信している。セントラル（受信装置）は、ビーコン信号を受信すると、所定の動作を経てセントラルとコネクションを確立することができる。
【０００５】
しかし、セントラルは、ペリフェラルが送信するビーコン信号を確実に受信できるわけではない。例えば、セントラルが移動していれば、ペリフェラルの送信タイミングと、セントラルの受信タイミングが合わずにセントラルがビーコン信号を受信できないことがある。このため、セントラルがビーコン信号の受信確率を高める方法の一つとして、例えば特許文献１に開示される技術が検討されていた。
【０００６】
この特許文献１には、移動装置に搭載され、複数の通信モードで通信可能な無線通信装置であって、検出部により検出された速度に基づいて、通信モードを切り替える無線通信装置について開示されている。
【先行技術文献】
【特許文献】
【０００７】
【特許文献１】特開２００８−１９３２７２号公報
【発明の概要】
【発明が解決しようとする課題】
【０００８】
ＢＬＥ規格によって規定されるビーコン信号を受信可能な受信装置は、一定の受信間隔と受信時間によってビーコン信号を間欠受信している。以下の説明では、受信装置が自身の周囲をスキャンしてビーコン信号を受信可能となる受信期間を「スキャンウィンドウ」と呼び、スキャンウィンドウの受信間隔（開始間隔）を「スキャンインターバル」と呼ぶ。そして、スキャンインターバルに対するスキャンウィンドウの比を「デューティーサイクル」と呼ぶ。一般にスキャンインターバルの幅は、スキャンウィンドウの幅よりも広い。そして、スキャンインターバルのうち、スキャンウィンドウが占める割合が高ければ、デューティーサイクルが高くなり、スキャンウィンドウが占める割合が低ければ、デューティーサイクルが低くなる。ただし、スキャンウィンドウの幅とスキャンインターバルの幅が等しければ、受信装置がビーコン信号を連続して受信する状態にある。
【０００９】
上述したようにビーコン装置は、アドバタイジングインターバル毎にビーコン信号（アドバタイズ信号）を間欠送信している。このため、スキャンウィンドウが、ビーコン信号の送信時間と重ならなければ受信装置がビーコン信号を受信できない。受信装置がビーコン信号を確実に受信できるようにするには、デューティーサイクルを高くすることが考えられる。
【００１０】
しかし、高いデューティーサイクルが長時間続くと受信装置の消費電力が多くなる。また、低いデューティーサイクルのままでは、受信装置がビーコン信号を受信するまでに時間がかかってしまい、受信装置を使用するユーザの利便性が低下する。
【００１１】
そして、特許文献１に開示された無線通信装置は、移動装置から電力供給を受けることを前提としているため、無線通信装置の消費電力を抑えることについて何ら開示されていない。
【００１２】
本発明はこのような状況に鑑みて成されたものであり、ビーコン信号を受信する受信装置の消費電力を抑えることを目的とする。
【課題を解決するための手段】
【００１３】
本発明は、送信装置から送信される信号を、信号の受信間隔に対する信号の受信期間によって規定されるデューティーサイクルで、受信部が受信する。そして、受信部又は受信部の周囲の状態が変化したことを示す検知信号に基づき、受信部に対してデューティーサイクルを変更する制御を行う。
【発明の効果】
【００１４】
本発明によれば、受信部又は受信部の周囲の状態が変化すると、制御部がデューティーサイクルを変更する制御を行うことにより、受信装置が信号の受信に必要とする消費電力を抑えることができる。
【図面の簡単な説明】
【００１５】
【図１】本発明の第１の実施の形態例に係るビーコン装置と受信装置の位置関係を示す説明図である。
【図２】本発明の第１の実施の形態例に係るビーコン装置と受信装置の内部構成例を示すブロック図である。
【図３】本発明の第１の実施の形態例に係るスキャンウィンドウとスキャンインターバルの例を示す説明図である。図３Ａは、待機状態でのスキャンウィンドウとスキャンインターバルの例を示し、図３Ｂは、起床状態でのスキャンウィンドウとスキャンインターバルの例を示す。
【図４】本発明の第１の実施の形態例に係る受信装置がスキャンウィンドウを変更する処理例を示すフローチャートである。
【図５】本発明の第２の実施の形態例に係るスキャンウィンドウとスキャンインターバルの例を示す説明図である。図５Ａは、待機状態でのスキャンウィンドウとスキャンインターバルの例を示し、図５Ｂは、起床状態でのスキャンウィンドウとスキャンインターバルの例を示す。
【図６】本発明の第２の実施の形態例に係る受信装置がスキャンインターバルを変更する処理例を示すフローチャートである。
【発明を実施するための形態】
【００１６】
［第１の実施の形態例］
以下、本発明の第１の実施の形態例（スキャンウィンドウを変更する例）に係る受信装置について、図１〜図４を参照して説明する。
本明細書及び図面において、実質的に同一の機能又は構成を有する構成要素については、同一の符号を付することにより重複する説明を省略する。
【００１７】
＜ビーコン装置と受信装置の位置関係＞
図１は、ビーコン装置１と受信装置３の位置関係を示す説明図である。
ここでは、ビーコン装置１（送信装置の一例）を保持するユーザ４が片開きのドア２に近づく様子を示す。このドア２には、ドアハンドル２ａが取付けられている。さらにドア２には、破線で表されるドアロック２ｂと受信装置３が内蔵されている。
【００１８】
ビーコン装置１は、Ｂｌｕｅｔｏｏｔｈ（登録商標）規格によって規定されるアドバタイズ信号を、ビーコン装置１の周囲に送信する。このアドバタイズ信号は、ビーコン信号であり、ビーコン装置１が所定の送信間隔で送信する信号の一例として用いられる。以下、アドバタイズ信号をビーコン信号として説明する。図１では、ユーザ４がビーコン装置１を手に持っている例を示しているが、ビーコン装置１は、ペンダント型に形成されてユーザ４の首に掛けられたり、ユーザ認証に用いるＩＣカードに組み込まれたりする。
【００１９】
受信装置３は、ドア２に近づいたユーザ４が保持するビーコン装置１からビーコン信号を受信すると、ユーザ認証を行い、施錠されたドアロック２ｂを解錠する。ドアロック２ｂが解錠されると、ユーザ４は、ドアハンドル２ａを押し下げてドア２を開き、部屋に入室することができる。ドア２が閉じられると、受信装置３は、ドアロック２ｂを施錠する。
【００２０】
次に、ビーコン装置１と受信装置３の具体的な構成例を説明する。
図２は、ビーコン装置１と受信装置３の内部構成例を示す。
【００２１】
＜ビーコン装置の構成例＞
ビーコン装置１は、制御部１１、送信部１２、記憶部１３を備える。
【００２２】
制御部１１は、例えば、ＣＰＵ（Central Processing Unit）によって構成されており、ビーコン装置１内の各部の動作を制御する。また、制御部１１は、送信部１２に対してビーコン信号を一定間隔で送信させる制御を行う。ビーコン信号の送信間隔は、例えば、Ｂｌｕｅｔｏｏｔｈ（登録商標）規格によって規定されるアドバタイジングインターバルとしてある。
【００２３】
送信部１２は、制御部１１の制御に基づき、アドバタイジングインターバルでビーコン信号（アドバタイズ信号）を送信する。このビーコン信号には、ビーコン装置１を一意に特定するためのビーコンＩＤが含まれている。
記憶部１３は、例えば、ＲＯＭ（Read Only Memory）、ＲＡＭ（Random Access Memory）等の記憶媒体によって構成されている。この記憶部１３には、制御部１１のプログラム、パラメータ等のデータが、永久記憶又は一時記憶されている。
【００２４】
＜受信装置の構成例＞
受信装置３は、受信部３１、近接センサ３２、制御部３３、電源部３４、ロック部３５を備える。
【００２５】
受信部３１は、ビーコン装置１から送信されるビーコン信号を、ビーコン信号の受信間隔（スキャンインターバル）に対するビーコン信号の受信期間（スキャンウィンドウ）によって規定されるデューティーサイクルで受信し、このビーコン信号からビーコンＩＤを取得する。
【００２６】
近接センサ３２（検知部の一例）は、受信部３１に近接して設けられており、受信部３１又は受信部３１の周囲の状態が変化したことを検知すると制御部３３に検知信号を出力する。この検知信号は、ビーコン装置１又はビーコン装置１を携帯するユーザ４が、受信部３１から所定の距離の範囲内（例えば、受信部３１から１ｍ以内）に存在することを示している。近接センサ３２としては、例えば、ユーザ４の熱（赤外線）を検知する人感センサが用いられる。
【００２７】
制御部３３は、例えば、ＣＰＵによって構成されており、受信装置３内の各部の動作を制御する。また、制御部３３は、近接センサ３２から入力した検知信号に基づき、受信部３１に対してビーコン信号を受信するためのデューティーサイクルを変更する制御を行う。デューティーサイクルを変更する制御処理の詳細は後述する。
【００２８】
また、制御部３３は、受信部３１が取得したビーコンＩＤが正当なものであるか判断し、正当なビーコンＩＤであれば、ロック部３５にドアロック２ｂの解錠を指示する指示信号を送信する。そして、制御部３３は、ドアロック２ｂの解錠を指示し、ドア２が開閉された後、ロック部３５にドアロック２ｂの施錠を指示する指示信号を送信する。
【００２９】
電源部３４は、受信装置３内の各部に電源を供給する。この電源部３４には、例えば、乾電池が用いられる。
ロック部３５は、制御部３３から受信した指示信号に従って、ドアロック２ｂを施錠又は解錠する。
【００３０】
＜スキャンウィンドウとスキャンインターバルの例＞
図３は、スキャンウィンドウとスキャンインターバルの例を示す。図３Ａは、待機状態でのスキャンウィンドウとスキャンインターバルの例を示し、図３Ｂは、起床状態でのスキャンウィンドウとスキャンインターバルの例を示す。
【００３１】
受信部３１は、スキャンインターバル毎にスキャンウィンドウを開く。
【００３２】
ドア２の周囲にビーコン装置１を持ったユーザ４が存在しておらず、近接センサ３２が制御部３３に検知信号を出力していなければ、受信装置３は待機状態となる。このとき、制御部３３は、受信部３１に対して、図３Ａに示すスキャンインターバルＩ１、スキャンウィンドウＷ１としてビーコン信号を受信するよう指示する。
【００３３】
受信部３１は、スキャンインターバルＩ１毎にスキャンウィンドウＷ１を開く。待機状態では、デューティーサイクルが低いので、隣り合うスキャンウィンドウＷ１の間隔は広くなっている。
【００３４】
ドア２の周囲にビーコン装置１を持ったユーザ４が存在しており、近接センサ３２が制御部３３に検知信号を出力していれば、受信装置３は、待機状態から起床状態に遷移する。このとき、制御部３３は、デューティーサイクルを変更する制御を行う。このデューティーサイクルの変更は、受信部３１がスキャンウィンドウＷ１をスキャンウィンドウＷ２に変更することによって行われる。このため、制御部３３は、受信部３１に対して、図３Ｂに示すスキャンインターバルＩ１、スキャンウィンドウＷ２としてビーコン信号を受信するよう指示する。このスキャンウィンドウＷ２は、スキャンウィンドウＷ１よりも広い。
【００３５】
受信部３１は、スキャンインターバルＩ１毎にスキャンウィンドウＷ２を開く。起床状態では、デューティーサイクルが高いので、隣り合うスキャンウィンドウＷ２の間隔は狭くなる。これにより、単位時間（例えば、１秒間）にスキャンウィンドウＷ２が開く期間が長くなり、受信部３１がビーコン信号を受信できる確率が高まる。
【００３６】
ここで、受信装置３が待機状態のときには、起床状態のときに比べて、スキャンウィンドウＷ１を狭くしているのは、受信装置３の消費電力を抑えるためである。つまり、受信装置３が待機状態であれば、受信装置３の周囲に受信部３１が受信可能なビーコン信号を送信するビーコン装置１が存在する可能性が低いと考えられるからである。しかし、近接センサ３２から入力する検知信号により、制御部３３が受信装置３の近くにビーコン装置１が存在する可能性が高いと判断できれば、受信装置３はできるだけ速やかにビーコン信号を受信する必要がある。このため、起床状態のときには、スキャンウィンドウＷ２をスキャンウィンドウＷ１よりも広げて、ビーコン信号をできるだけ速やかに受信できるようにしている。
【００３７】
＜受信装置の処理例＞
次に、受信装置３の処理例について説明する。
図４は、受信装置３がスキャンウィンドウを変更する処理例を示す。
【００３８】
始めに、受信装置３が電源オンされると、受信部３１は、ビーコン信号のスキャンを開始する（Ｓ１）。このとき、受信装置３が待機状態であるため、受信部３１はスキャンウィンドウＷ１、スキャンインターバルＩ１でビーコン信号をスキャンする（図３Ａを参照）。
【００３９】
次に、制御部３３は、近接センサ３２が、ビーコン装置１又はビーコン装置１を携帯するユーザ４（以下、「ユーザ４」として説明する。）を検知したか否かを判断する（Ｓ２）。近接センサ３２から検知信号が入力すれば、制御部３３は近接センサ３２がユーザ４を検知したと判断できる。しかし、近接センサ３２から検知信号が入力しなければ、制御部３３はステップＳ２の処理を繰り返し、待機状態を継続する。
【００４０】
ステップＳ２の処理で制御部３３は、近接センサ３２がユーザ４を検知したと判断した場合、スキャンウィンドウＷ１をスキャンウィンドウＷ２に変更する指示を受信部３１に行う（Ｓ３）。この変更されたスキャンウィンドウＷ２により、デューティーサイクルが高くなる。そして、受信部３１は、スキャンウィンドウＷ２でビーコン信号をスキャンする。
【００４１】
次に、制御部３３は、近接センサ３２がユーザ４を検知し続けているか否かを判断する（Ｓ４）。近接センサ３２が検知信号を出力し続けていれば、制御部３３は、近接センサ３２がユーザ４を検知し続けていると判断し、受信部３１はスキャンウィンドウＷ２としたままビーコン信号のスキャンを続ける。
【００４２】
その後、ユーザ４がドア２から離れるか、ドア２から入室し、ドア２の前にいなくなれば近接センサ３２が検知信号の出力を停止する。このため、ステップＳ４の処理で制御部３３は、近接センサ３２がユーザ４を検知し続けていないと判断した場合、スキャンウィンドウＷ２を元に戻す（Ｓ５）。このとき、制御部３３は、受信部３１に、スキャンウィンドウＷ２をスキャンウィンドウＷ１に変更する指示を行う。そして、受信部３１は、再びスキャンウィンドウＷ１でビーコン信号をスキャンし、制御部３３は、ステップＳ２以降の処理を繰り返す。
【００４３】
以上説明した第１の実施の形態例に係る受信装置３の制御部３３は、近接センサ３２が出力する検知信号により、近接センサ３２の近傍にビーコン装置１又はビーコン装置１を携帯するユーザ４が存在することを判断できる。そして、制御部３３は、受信部３１に対して、スキャンウィンドウＷ１をスキャンウィンドウＷ２に変更する指示を行う。これにより、受信部３１は、ビーコン信号を受信できる確率が高まり、ビーコン装置１が送信するビーコン信号を確実に受信できるようになる。
【００４４】
また、制御部３３は、近接センサ３２が検知信号を出力しなくなれば、スキャンウィンドウＷ２をスキャンウィンドウＷ１に戻す。スキャンウィンドウＷ１では、受信部３１の受信動作を短時間とするため、電源部３４の消費電力を抑え、電源部３４の交換頻度を減らすことができる。
【００４５】
また、受信部３１は、待機状態から起床状態に遷移する間にスキャンウィンドウを変更するだけでよく、スキャンウィンドウの変更に要する時間は短い。このため、受信装置３が待機状態であっても、受信部３１がビーコン信号を受信できるようになるまでの時間を短縮することができる。
【００４６】
また、制御部３３は、近接センサ３２が出力する検知信号によりデューティーサイクルを変更できるため、受信装置３の内部にリアルタイムクロック回路を配置する必要がない。このため、受信装置３に必要とされる機能及び部品を減らすことができる。
【００４７】
なお、受信装置３にタイマーを設けて、近接センサ３２がユーザ４の近接を検知したタイミングから経過時間を計測してもよい。例えば、近接センサ３２が検知信号を出力し続けたまま一定時間（例えば、１０分）が経過すれば、ユーザ４がドア２を開ける意図がなかったり、近接センサ３２が故障していたりすることが考えられる。この場合、制御部３３は、受信部３１に対してスキャンウィンドウＷ２をスキャンウィンドウＷ１に戻す制御を行う。このように一定時間の経過後にスキャンウィンドウを元に戻すことで、電源部３４の消費電力を抑えることができる。
【００４８】
［第２の実施の形態例］
次に、本発明の第２の実施の形態例（スキャンインターバルを変更する例）に係る受信装置３について、図５及び図６を参照して説明する。第２の実施の形態例に係る受信装置３についても、図１及び図２に示す受信装置３が内蔵されたドア２に、ビーコン装置１を保持するユーザ４が近づくと、制御部３３が受信部３１のデューティーサイクルを変更して受信部３１がビーコン信号を受信することができる。
【００４９】
＜スキャンウィンドウとスキャンインターバルの例＞
図５は、スキャンウィンドウとスキャンインターバルの例を示す。図５Ａは、待機状態でのスキャンウィンドウとスキャンインターバルの例を示し、図５Ｂは、起床状態でのスキャンウィンドウとスキャンインターバルの例を示す。
【００５０】
図５Ａに示す待機状態における動作例は、図３Ａに示した受信装置３の動作例と同様に、受信部３１がスキャンインターバルＩ１、スキャンウィンドウＷ１とした低いデューティーサイクルでビーコン信号を受信する様子を示している。
【００５１】
そして、近接センサ３２が制御部３３に検知信号を出力し始めると、受信装置３は、待機状態から起床状態に遷移し、制御部３３は、デューティーサイクルを変更する制御を行う。このデューティーサイクルの変更は、受信部３１がスキャンインターバルＩ１をスキャンインターバルＩ２に変更することによって行われる。このため、制御部３３は、受信部３１に対して、図５Ｂに示すスキャンインターバルＩ２、スキャンウィンドウＷ１としてビーコン信号を受信するよう指示する。このスキャンインターバルＩ２は、スキャンインターバルＩ１よりも狭い。
【００５２】
受信部３１は、スキャンインターバルＩ２毎にスキャンウィンドウＷ１を開く。起床状態では、デューティーサイクルが高いので、隣り合うスキャンウィンドウＷ１の間隔は狭くなる。これにより、単位時間（例えば、１秒間）にスキャンウィンドウＷ１が開く回数が多くなり、受信部３１がビーコン信号を受信できる確率が高まる。
【００５３】
＜受信装置の処理例＞
次に、受信装置３の処理例について説明する。
図６は、受信装置３がスキャンインターバルを変更する処理例を示す。
【００５４】
始めに、受信装置３が電源オンされると、受信部３１は、ビーコン信号のスキャンを開始する（Ｓ１１）。このとき、受信装置３が待機状態であるため、受信部３１はスキャンウィンドウＷ１、スキャンインターバルＩ１でビーコン信号をスキャンする（図５Ａを参照）。
【００５５】
次に、制御部３３は、近接センサ３２が、ビーコン装置１又はビーコン装置１を携帯するユーザ４（以下、「ユーザ４」として説明する。）を検知したか否かを判断する（Ｓ１２）。近接センサ３２から検知信号が入力すれば、制御部３３は近接センサ３２がユーザ４を検知したと判断できる。しかし、近接センサ３２から検知信号が入力しなければ、制御部３３はステップＳ１２の処理を繰り返し、待機状態を継続する。
【００５６】
ステップＳ１２の処理で制御部３３は、近接センサ３２がユーザ４を検知したと判断した場合、スキャンインターバルＩ１をスキャンインターバルＩ２に変更する指示を受信部３１に行う（Ｓ１３）。この変更されたスキャンインターバルＩ２により、デューティーサイクルが高くなる。そして、受信部３１は、スキャンインターバルＩ２でビーコン信号をスキャンする。
【００５７】
次に、制御部３３は、近接センサ３２がユーザ４を検知し続けているか否かを判断する（Ｓ１４）。近接センサ３２が検知信号を出力し続けていれば、制御部３３は、近接センサ３２がユーザ４を検知し続けていると判断し、受信部３１はスキャンインターバルＩ２としたままビーコン信号のスキャンを続ける。そして、制御部３３は、受信
【００５８】
その後、ユーザ４がドア２から離れるか、ドア２から入室し、ドア２の前にいなくなれば近接センサ３２が検知信号の出力を停止する。このため、ステップＳ１４の処理で制御部３３は、近接センサ３２がユーザ４を検知し続けていないと判断した場合、スキャンインターバルＩ２を元に戻す（Ｓ１５）。このとき、制御部３３は、受信部３１に、スキャンインターバルＩ２をスキャンインターバルＩ１に変更する指示を行う。そして、受信部３１は、再びスキャンインターバルＩ１でビーコン信号をスキャンし、制御部３３は、ステップＳ１２以降の処理を繰り返す。
【００５９】
以上説明した第２の実施の形態例に係る受信装置３の制御部３３においても、近接センサ３２が出力する検知信号により、近接センサ３２の近傍にビーコン装置１又はビーコン装置１を携帯するユーザ４が存在することを判断できる。そして、制御部３３は、受信部３１に対して、スキャンインターバルＩ１をスキャンインターバルＩ２に変更する指示を行う。この場合であっても、受信部３１は、ビーコン信号を受信する確率が高まり、ビーコン装置１からビーコン信号を確実に受信できるようになる。
【００６０】
［変形例］
なお、制御部３３は、受信部３１に対して、スキャンウィンドウの変更とスキャンインターバルの変更を組み合わせて指示してもよい。例えば、制御部３３は、近接センサ３２から入力した検知信号に基づき、スキャンウィンドウを広げ、スキャンインターバルを狭める指示を行うようにすれば、さらに受信部３１がビーコン信号を受信する確率を高めることができる。
【００６１】
また、近接センサ３２がビーコン装置１又はビーコン装置１を持つユーザ４を検知するためには、様々な種類のセンサを用いることができる。例えば、近接センサ３２として、超音波をユーザ４に向けて送信し、この反射波を受信してユーザ４の有無を検出する超音波センサを用いてもよい。他にも近接センサ３２として、カメラやレーザーを用いたり、光センサを用いたりして、ユーザ４の有無を検出してもよい。例えば、ユーザ４が部屋に入って照明を点灯したときに、光センサが検知信号を出力すれば、制御部３３は、ユーザ４が部屋にいることを把握することができる。
【００６２】
また、近接センサ３２を受信装置３とは別の場所に配置することもできる。例えば、近接センサ３２として、床面に圧力センサを設け、ユーザ４の重さ、圧力等を計測した計測結果に基づいて、制御部３３がスキャンウィンドウやスキャンインターバルを変更する指示を行ってもよい。
【００６３】
また、ドア２に表示部を設けておき、この表示部にビーコン装置１の認証結果を表示してもよい。また、近接センサ３２の代わりに、例えば、押圧スイッチを設けておき、押圧スイッチがオンされると制御部３３が受信部３１に対してデューティーサイクルの変更を指示するようにしてもよい。
【００６４】
また、ビーコン装置１は、スマートフォン、フィーチャーフォン、タブレット端末、ページャー、携帯音楽プレイヤー、腕時計等の様々なものに取付けることができる。
【００６５】
また、上述した各実施の形態例で示したように制御部３３がドアロック２ｂを施錠又は解錠する以外にも様々な応用例を想定しうる。
例えば、猫等のペットの首輪にビーコン装置１を取付けておき、ペット用ゲートに受信装置３を取付けてもよい。これにより、ユーザが飼っているペットだけをペット用ゲートから室内に侵入することを許可し、他の動物が室内に侵入しないように制限することが可能となる。
【００６６】
また、受信装置３がドア２を通過したユーザ４の入退室を管理することも可能である。また、複数の受信装置３を店舗内や工場内に配置することで、ユーザ４の動線解析を行うことも可能である。また、駅等の改札口に受信装置３を設けておき、駅構内へのユーザ４の入退場を管理してもよい。
【００６７】
また、自動車の駐車場入口に設けられる電動シャッターに受信装置３を取り付けてもよい。この場合、自動車にビーコン装置１を搭載しておけば、自動車が電動シャッターに近づくだけで受信装置３が自動車の接近を検知し、電動シャッターを開放して、自動車を駐車することが可能となり、ユーザの利便性が向上する。
【００６８】
また、部屋毎に受信装置３と警報装置を組み合わせて設置することにより、ユーザ４がいる部屋では、警報装置が出力する警報（例えば、地震速報）をユーザ４に報知することもできる。また、受信装置３と家電（例えば、空調機）を組み合わせて設置することにより、ユーザ４がいる部屋の家電だけを動作させることもできる。
【００６９】
また、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７０】
１…ビーコン装置、２…ドア、３…受信装置、１１…制御部、１２…送信部、１３…記憶部、３１…受信部、３２…近接センサ、３３…制御部、３４…電源部、３５…ロック部
【図１】
2015220470.tif 000003
【図２】
2015220470.tif 000004
【図３】
2015220470.tif 000005
【図４】
2015220470.tif 000006
【図５】
2015220470.tif 000007
【図６】
2015220470.tif 000008